(57)【要約】【課題】多様な映像コンテンツを提供することを可能とし、在宅者の生活のサポートを行ったり、生活の満足度を向上させたりすることができる映像コンテンツ提供システムを提供することを目的とする。【解決手段】映像コンテンツ提供システムが、制御手段１と、映像コンテンツが保存されるサーバー２と、所定の場所の映像を撮影して映像コンテンツを生成する第一撮像部３と、出力手段４と、入力手段５と、を備える。制御手段１は、サーバー２および第一撮像部３との間で通信可能とされている。出力手段４は、映像コンテンツが映写される建物１０の面４ａと、映像コンテンツを映写する映写部４ｂと、を有する。制御手段１は、サーバー２側の映像コンテンツと第一撮像部３側の映像コンテンツのうち、入力手段５によって入力された在宅者からの指示情報に基づく映像コンテンツを、映写部４ｂによって面４ａに映写する。【選択図】図１
2014220582.tif 000002
【特許請求の範囲】
【請求項１】
映像コンテンツを在宅者に提供するための映像コンテンツ提供システムであって、
システムを制御する制御手段と、
各種の映像コンテンツが保存されるサーバーと、
所定の場所の映像を撮影して映像コンテンツを生成する第一撮像部と、
前記映像コンテンツが出力される出力手段と、
在宅者からの各種指示情報を入力する入力手段と、を備えており、
前記制御手段は、前記サーバーおよび前記第一撮像部との間で通信可能とされており、
前記出力手段は、前記映像コンテンツが映写される建物の壁面、床、天井、建具等の面と、この面に前記映像コンテンツを映写する映写部と、を有しており、
前記制御手段は、前記サーバーに保存された前記映像コンテンツと前記第一撮像部によって生成された前記映像コンテンツのうち、前記入力手段によって入力された在宅者からの指示情報に基づく映像コンテンツを、前記映写部によって前記面に映写することを特徴とする映像コンテンツ提供システム。
【請求項２】
請求項１に記載の映像コンテンツ提供システムにおいて、
前記映像コンテンツは音声情報を含んでおり、前記出力手段は前記音声情報を出力する音声出力部を有することを特徴とする映像コンテンツ提供システム。
【請求項３】
請求項１または２に記載の映像コンテンツ提供システムにおいて、
前記入力手段は、在宅者の行動を撮影する第二撮像部を有しており、
前記制御手段は、前記第二撮像部によって撮影された映像を、前記出力手段と、ネットワークを介して当該制御手段と接続される他の出力手段とに出力することを特徴とする映像コンテンツ提供システム。
【請求項４】
請求項１〜３のいずれか一項に記載の映像コンテンツ提供システムにおいて、
前記制御手段は、前記入力手段による指示情報に基づいて、前記面に表示される前記映像コンテンツの表示内容を変化させることを特徴とする映像コンテンツ提供システム。
【請求項５】
請求項１〜４のいずれか一項に記載の映像コンテンツ提供システムにおいて、
前記面には開口部が形成され、この開口部には、透過率を透明から不透明に変更可能なガラスを採用した建具が設けられており、
前記制御手段は、前記映像コンテンツを、前記映写部によって、不透明に変更された前記ガラスに映写することを特徴とする映像コンテンツ提供システム。
【請求項６】
請求項１〜４のいずれか一項に記載の映像コンテンツ提供システムにおいて、
前記面には開口部が形成され、この開口部には、ガラスを採用した建具が設けられており、
前記映写部は屋外に設置されており、
前記制御手段は、前記映像コンテンツを、屋外に設置された前記映写部によって前記ガラスに向けて映写しており、
前記入力手段は、前記ガラスに設けられ、在宅者が屋内から当該ガラスに触れることで検知状態となるタッチセンサーを有することを特徴とする映像コンテンツ提供システム。
【発明の詳細な説明】
【技術分野】
【０００１】
本発明は、映像コンテンツ提供システムに関する。
【背景技術】
【０００２】
従来、例えば高齢者等の在宅者をサポートするシステムとして、特許文献１に記載のような技術が知られている。この技術では、在宅者の発言と行動により音声入力装置および映像入力装置で取り込まれた被支援者の音声データおよび映像データをクライアント側コンピュータからホスト側コンピュータへ送信し、ホスト側コンピュータに蓄積されたデータベースから被支援者の発言と行動に対応させた音声データおよび映像データを、クライアント側コンピュータへ返送して音声出力装置および映像出力装置に出力する。このような技術によれば、在宅者の話し相手をヴァーチャル的に創生し、在宅者の精神的なケアを容易に実現できる。
【先行技術文献】
【特許文献】
【０００３】
【特許文献１】特開２００５−０６４７０５号公報
【発明の概要】
【発明が解決しようとする課題】
【０００４】
ところで、高齢者だけに限らない在宅者の生活もサポートしたり、生活の満足度を向上させたりしたいという要望がある。そこで、在宅者に対して、多様な映像コンテンツを提供することが可能な技術の開発が望まれていた。
【０００５】
本発明の課題は、多様な映像コンテンツを提供することを可能とし、在宅者の生活のサポートを行ったり、生活の満足度を向上させたりすることができる映像コンテンツ提供システムを提供することを目的とする。
【課題を解決するための手段】
【０００６】
請求項１に記載の発明は、例えば図１に示すように、映像コンテンツを在宅者に提供するための映像コンテンツ提供システムであって、
システムを制御する制御手段１と、
各種の映像コンテンツが保存されるサーバー２と、
所定の場所の映像を撮影して映像コンテンツを生成する第一撮像部３と、
前記映像コンテンツが出力される出力手段４と、
在宅者からの各種指示情報を入力する入力手段５と、を備えており、
前記制御手段１は、前記サーバー２および前記第一撮像部３との間で通信可能とされており、
前記出力手段４は、前記映像コンテンツが映写される建物１０の壁面、床、天井、建具等の面４ａと、この面４ａに前記映像コンテンツを映写する映写部４ｂと、を有しており、
前記制御手段１は、前記サーバー２に保存された前記映像コンテンツと前記第一撮像部３によって生成された前記映像コンテンツのうち、前記入力手段５によって入力された在宅者からの指示情報に基づく映像コンテンツを、前記映写部４ｂによって前記面４ａに映写することを特徴とする。
【０００７】
請求項１に記載の発明によれば、前記サーバー２に前記各種の映像コンテンツを予め保存しておくことができる。また、前記第一撮像部３によって所定の場所の映像を撮影し、生成された前記映像コンテンツを、前記サーバー２に保存しておいたり、リアルタイムで前記面４ａに表示したりすることができる。これによって、多様な映像コンテンツを在宅者に対して提供することができる。
そして、前記制御手段１が、前記サーバー２に保存された前記映像コンテンツと前記第一撮像部３によって生成された前記映像コンテンツのうち、前記入力手段５によって入力された在宅者からの指示情報に基づく映像コンテンツを、前記映写部４ｂによって前記面４ａに映写するので、前記サーバー２に保存された前記映像コンテンツを前記面４ａに映写すれば、在宅者は、保存された映像コンテンツを楽しんだり、生活サポートを受けたりすることができる。また、前記第一撮像部３によって生成された前記映像コンテンツを前記面４ａに映写すれば、在宅者は、リアルタイムの映像コンテンツを楽しんだり、生活サポートを受けたりすることができる。
しかも、前記面４ａをスクリーンとして利用できるので、前記映像コンテンツを手軽に映写したり、大画面で映写したりすることができる。
これによって、多様な映像コンテンツを提供することを可能とし、在宅者の生活のサポートを行ったり、生活の満足度を向上させたりすることができる。
【０００８】
請求項２に記載の発明は、請求項１に記載の映像コンテンツ提供システムにおいて、
前記映像コンテンツは音声情報を含んでおり、前記出力手段４は前記音声情報を出力する音声出力部４ｃを有することを特徴とする。
【０００９】
請求項２に記載の発明によれば、前記映像コンテンツは音声情報を含んでおり、前記出力手段４は前記音声情報を出力する音声出力部４ｃを有するので、映像とともに音声を楽しんだり、音声によるサポートを受けたりすることができる。
【００１０】
請求項３に記載の発明は、請求項１または２に記載の映像コンテンツ提供システムにおいて、
前記入力手段５は、在宅者の行動を撮影する第二撮像部５ａを有しており、
前記制御手段１は、前記第二撮像部５ａによって撮影された映像を、前記出力手段４と、ネットワークを介して当該制御手段１と接続される他の出力手段６とに出力することを特徴とする。
【００１１】
請求項３に記載の発明によれば、前記制御手段１は、前記第二撮像部５ａによって撮影された映像を、前記出力手段４と、ネットワークを介して当該制御手段１と接続される他の出力手段６とに出力するので、前記第二撮像部５ａによって撮影された在宅者の行動を、前記出力手段４によって出力される映像や、前記他の出力手段６によって出力される映像によって確認することができる。これによって、在宅者の生活サポートの一環として、例えば在宅者と他者との交流を図ることができる。
【００１２】
請求項４に記載の発明は、請求項１〜３のいずれか一項に記載の映像コンテンツ提供システムにおいて、
前記制御手段１は、前記入力手段５による指示情報に基づいて、前記面４ａに表示される前記映像コンテンツの表示内容を変化させることを特徴とする。
【００１３】
請求項４に記載の発明によれば、前記制御手段１は、前記入力手段５による指示情報に基づいて、前記面４ａに表示される前記映像コンテンツの表示内容を変化させるので、例えばジェスチャーによって表示内容を変化させたり、接触（タッチ）することで表示内容を変化させたり、声で表示内容を変化させたり等、様々な態様で表示内容を変化させることができる。すなわち、在宅者の行動・操作に基づいて表示内容を変化させることができるので、利便性に優れる。
【００１４】
請求項５に記載の発明は、請求項１〜４のいずれか一項に記載の映像コンテンツ提供システムにおいて、
前記面４ａには開口部１６が形成され、この開口部１６には、透過率を透明から不透明に変更可能なガラス（例えばガラス４ｄ）を採用した建具（例えば建具１７）が設けられており、
前記制御手段１は、前記映像コンテンツを、前記映写部４ｂによって、不透明に変更された前記ガラスに映写することを特徴とする。
【００１５】
請求項５に記載の発明によれば、前記制御手段１は、前記映像コンテンツを、前記映写部４ｂによって、不透明に変更された前記ガラスに映写するので、例えば壁面や床、天井等の前記面４ａに映写する映像コンテンツとは異なる種類の映像コンテンツを映写することができる。これによって、より多様な映像コンテンツを在宅者に対して提供することができる。
【００１６】
請求項６に記載の発明は、請求項１〜４のいずれか一項に記載の映像コンテンツ提供システムにおいて、
前記面４ａには開口部１６が形成され、この開口部１６には、ガラス（例えばガラス４ｄ）を採用した建具（例えば建具１７）が設けられており、
前記映写部４ｂは屋外に設置されており、
前記制御手段１は、前記映像コンテンツを、屋外に設置された前記映写部４ｂによって前記ガラスに向けて映写しており、
前記入力手段５は、前記ガラスに設けられ、在宅者が屋内から当該ガラスに触れることで検知状態となるタッチセンサー５ｃを有することを特徴とする。
【００１７】
請求項６に記載の発明によれば、前記制御手段１は、前記映像コンテンツを、屋外に設置された前記映写部４ｂによって前記ガラスに向けて映写しており、前記入力手段５は、前記タッチセンサー５ｃを有するので、例えば前記映写部４ｂが屋内に設置される場合とは異なり、前記ガラスに映写される映像に在宅者の影が映りこむことを防ぎつつ、在宅者は、屋内側から前記ガラスに触れて入力作業を行うことができる。
【発明の効果】
【００１８】
本発明によれば、多様な映像コンテンツを提供することを可能とし、在宅者の生活のサポートを行ったり、生活の満足度を向上させたりすることができる。
【図面の簡単な説明】
【００１９】
【図１】映像コンテンツ提供システムの構成を示す図である。
【図２】映像コンテンツ提供システムが設けられる部屋を示す俯瞰図である。
【図３】第一収納室の構成を示す側断面図である。
【図４】映像コンテンツの一例を示す斜視図である。
【図５】映像コンテンツの一例を示す斜視図である。
【図６】映像コンテンツの一例を示す斜視図である。
【図７】映像コンテンツの一例を示す斜視図である。
【図８】映像コンテンツの一例を示す斜視図である。
【図９】映像コンテンツ提供システムの構成の他の一例を示す図である。
【図１０】映像コンテンツの一例を示す斜視図である。
【発明を実施するための形態】
【００２０】
以下、図面を参照して本発明の実施の形態について説明する。
【００２１】
［第１の実施の形態］
本実施の形態の映像コンテンツ提供システムは、映像コンテンツを在宅者に提供するためのものであり、在宅者の居住する建物１０に設けられる。ここで、在宅者とは、従来のような高齢者や体の不自由な人だけに限らず、宅内にいる人の全てを指すものとする。
また、この映像コンテンツ提供システムは、制御手段１と、サーバー２と、第一撮像部３と、出力手段４と、入力手段５と、を備える。
【００２２】
制御手段１は、映像コンテンツ提供システムを制御するものである。また、この制御手段１は、ネットワークを介して他所の各種システムと通信可能とされている。
また、制御手段１は、サーバー２および第一撮像部３との間においても通信可能とされている。これらサーバー２および第一撮像部３との通信は有線通信でもよいし、無線通信としてもよいし、ネットワークを介して通信可能としてもよい。したがって、サーバー２および第一撮像部３は、映像コンテンツを配信する会社が所有するサーバー、第一撮像部であってもよい。
【００２３】
サーバー２は、各種の映像コンテンツに係るデータが保存されるものである。換言すればデータベースとしての機能を持ち合わせるものであり、前記制御手段１の制御に基づいて各種の映像コンテンツに係るデータを呼び出すことができる。
保存される映像コンテンツとしては、例えばトレッキングを体験できる映像コンテンツや、生物等の実寸大を実感できる映像コンテンツ、学校の授業の風景を体験できる映像コンテンツ等、様々なものが挙げられる。なお、前記映像コンテンツには音声情報が適宜含まれている。
【００２４】
第一撮像部３は、所定の場所の映像を撮影して映像コンテンツを生成するものであり、例えばビデオカメラが採用されている。
ここで、所定の場所とは、例えば宅内のいずれかの場所や、宅外の様々な場所が挙げられる。宅内であれば、本棚の蔵書を撮影したり、収納室の内部を撮影したり、冷蔵庫の中味を撮影したり等、様々な用途が挙げられる。宅外であれば、近所の知人の住宅に設置したり、遠方の親戚の住宅に設置したり、学校の教室に設置したり等、様々な用途が挙げられる。
【００２５】
出力手段４は、前記サーバー２に保存された前記映像コンテンツと前記第一撮像部３によって生成された前記映像コンテンツが出力されるものである。
この出力手段４は、面４ａと、映写部４ｂと、音声出力部４ｃと、を有する。
面４ａは、映像コンテンツが映写される建物１０の壁面である。なお、本実施の形態では前記面４ａを壁面としたが、これに限られるものではなく、床や天井、建具を面としてもよい。すなわち、建物１０を構成する面を指す。また、特に本実施の形態の壁面４ａは内壁面（建物１０内面のうちの壁面）を指すものとする。
映写部４ｂは、壁面４ａに映像コンテンツを映写するものであり、いわゆるプロジェクターが採用されている。また、特にプロジェクターの中でも、至近距離からの投写で人の影が写り込まずに大画面表示が可能な短焦点プロジェクター（超短焦点プロジェクター）が採用されているものとする。
また、この映写部４ｂは３Ｄ映像を映写できるものを採用してもよいものとする。
音声出力部４ｃは、映像コンテンツに含まれる音声情報を出力するものであり、スピーカー等が採用されている。
【００２６】
入力手段５は、在宅者からの各種指示情報を前記制御手段１に入力するものであり、様々な映像コンテンツを楽しむために、様々な入力手段が採用される。
入力手段５としては、具体的には、例えばビデオカメラやカメラ等のような在宅者の行動を撮影することが可能な第二撮像部５ａや、前記壁面４ａと在宅者との距離を検出する距離センサー５ｂ、タッチセンサー５ｃ、マイク等の音声入力部５ｄ、各種コントローラー５ｅ等が挙げられる。また、各種コントローラー５ｅとしては、専用のリモコン、パソコンやスマートフォン等の各種情報端末等が挙げられる。
また、このような入力手段５によれば、例えば制御手段１に対して指示情報を入力することによってシステム自体をオン・オフさせたり、映像コンテンツを起動したり、映像コンテンツに変化を与えたりすることを始め、様々なことを行うことができる。
【００２７】
以上のような構成の映像コンテンツ提供システムが設けられる前記建物１０は住宅であり、図２に示すように、前記壁面４ａが設けられる部屋１１と、その周囲に配置される第一収納室１２と、第二収納室１３と、洗面所１４と、小部屋１５と、を備える。
部屋１１は、キッチンやダイニングの機能を一室に併存させた居室であり、図２中の南側（図２の紙面の下方）に、前記壁面４ａが設けられている。
【００２８】
第一収納室１２は、図３に示すように、部屋１１の床と連続する床と、この床の上方に配置される中間床ＭＦとの間に設けられており、天井高は０．８〜１．４ｍに設定されている。なお、中間床ＭＦ上には、図示しない中間階の部屋が設けられる。
第一収納室１２には、部屋１１側に出して使用できる複数のテーブル１２ａが収納されており、必要に応じて出し入れされる。また、これら複数のテーブル１２ａは、第一収納室１２ａ内で積層して収納されている。このような第一収納室１２の出し入れ口には、部屋１１側に出したテーブル１２ａを上下に高さ調整する昇降手段（図示せず）が備えられており、テーブル１２ａを所望の高さに配置できるようになっている。
また、各テーブル１２ａはガラスやアクリル板等のような透明のカバー１２ｂによって上面を覆うことができるように構成されており、テーブル１２ａ上の物品をカバー１２ｂによって覆った状態で第一収納室１２内に収納できる。第一収納室１２の出し入れ口の上部には、カバー１２ｂによって覆われたテーブル１２ａの上面をスキャンできるスキャン装置１２ｄが取り付けられている。
なお、第一収納室１２に収納されるものはテーブル１２ａとしたが、物品を収納できる収納ケース（図示せず）としてもよいし、テーブル１２ａと収納ケースの双方を採用してもよいものとする。また、このような収納ケースのサイズは、テーブル１２ａ（およびカバー１２ｂ）と同等のサイズ、又は第一収納室１２内に積層して収納できるサイズであればよい。
また、スキャン装置１２ｄによるスキャンデータは、サーバー２保存され、各種情報端末等で確認できるようにしてもよい。これにより、テーブル１２ａ上の物品を、当該テーブル１２ａを引き出さなくとも、外部から特定することができる。
【００２９】
また、各テーブル１２ａはそれぞれ用途が設定されており、各テーブル１２ａの用途を識別するためのＩＣタグ１２ｃが、各テーブル１２ａの上面又は各カバー１２ｂの上面に取り付けられている。一方、前記スキャン装置１２ｄはＩＣタグ１２ｃの読み取りを行うセンサー機能を有しており、テーブル１２ａを出し入れする度に当該センサーによってＩＣタグ１２ｃの読み取りを行っている。
なお、センサー付きスキャン装置１２ｄは、前記制御手段１に接続されており、各テーブル１２ａの出し入れ時に読み取るＩＣタグ１２ｃの情報に基づいて、各テーブル１２ａの用途に対応する特定の映像コンテンツの起動・停止を行うことができる。すなわち、入力手段５の一つとして用いることができる。
また、テーブル１２ａを収納すれば、その分、部屋１１を広く使えるので、例えば映写する映像コンテンツに合わせて体を動かす時などには好適である。
【００３０】
第二収納室１３は、部屋１１の床と連続する床１３ｂと、この床の上方に配置される中間床ＭＦとの間に設けられており、天井高は０．８〜１．４ｍに設定されている。また、第二収納室１３には、部屋１１に対して出し入れできる複数の収納家具１３ａが収納されている。
床１３ｂには、当該床１３ｂを周回するガイドレール（図示せず）が敷設されており、複数の収納家具１３ａは、このガイドレールに沿って第二収納室１３を周回できる構成となっている。さらに、ガイドレールはキッチン側にも延設されており、キッチン側の壁に形成された出し入れ口から、収納家具１３ａを出し入れできる構成となっている。
【００３１】
前記壁面４ａは、建物１０の内壁面であり、南面に位置する壁面と、その両側に直交して配置される壁面とによって三面の壁として形成されている。
前記映写部４ｂは、壁面４ａに映像コンテンツを映写可能な位置に設置されている。本実施の形態においては部屋１１の天井に設置されている。
前記音声出力部４ｃは、部屋１１の任意の場所に設置されている。また、その数は単数に限らず、複数であってもよい。
【００３２】
前記制御手段１は、前記サーバー２に保存された前記映像コンテンツと前記第一撮像部３によって生成された前記映像コンテンツのうち、前記入力手段５によって入力された在宅者からの指示情報に基づく映像コンテンツを、前記映写部４ｂによって前記壁面４ａに映写する。
映像コンテンツとしては、前記サーバー２に保存された前記映像コンテンツと、前記第一撮像部３によって生成された前記映像コンテンツとがあり、様々な種類のものを用意することができる。また、入力手段５としても上述のように様々な種類のものを使用することができる。したがって、これら映像コンテンツと入力手段との組み合わせによって、様々なバリエーションで映像コンテンツを利用できることとなる。このような様々なバリエーションの映像コンテンツを制御手段１によって適宜制御し、前記映写部４ｂによって前記壁面４ａに映写することができる。
【００３３】
前記制御手段１は、前記第二撮像部５ａによって撮影された映像（および音声）を、前記出力手段４と、ネットワークを介して当該制御手段１と接続される他の出力手段６とに出力する。
他の出力手段６としては、図示はしないが、前記出力手段４と同様に壁面と映写部と音声出力部を有するものとしてもよいが、その他にも例えばテレビやパソコン、各種情報端末等を他の出力手段６としてもよい。また、この出力手段６が設けられる場所は、例えば宅内のいずれかの場所や、宅外の様々な場所が挙げられる。
また、この出力手段６と前記第一撮像部３は、例えば他の住宅等、一箇所にまとめて設けられていてもよい。
【００３４】
前記制御手段１は、前記入力手段５による指示情報に基づいて、前記壁面４ａに表示される前記映像コンテンツの表示内容を変化させる。
すなわち、前記距離センサー５ｂであれば、ジェスチャー等によって映像コンテンツを変化させたり、壁面４ａに対して近づいたり遠ざかったりすることで映像コンテンツを変化させることができる。
また、タッチセンサー５ｃであれば、センサー５ｃのある部分を触れることで映像コンテンツを変化させることができるので感覚的な映像の操作が可能となる。
また、マイク等の音声入力部５ｄであれば、たとえ寝たきりの人であっても映像コンテンツを変化させることができるので利便性に優れる。
また、各種コントローラー５ｅであれば、例えば家電機器の操作と同じような間隔で映像コンテンツを変化させることができる。また、採用するコントローラー５ｅの種類（例えば前記各種情報端末）によっては宅外から遠隔操作することも可能となり、利便性に優れる。
以上のようにして映像コンテンツ提供システムが構成されている。
【００３５】
次に、映像コンテンツの具体例について説明する。
以下に説明する各種の映像コンテンツは、以上の映像コンテンツ提供システムを構成する制御手段１を始めとする各部・各手段を適宜組み合わせたり、適宜動作させたりすることによって在宅者に提供されることになる。
【００３６】
図４に示す例は、宅内に設置された本棚の蔵書を前記第一撮像部３によって撮影して映像コンテンツを生成し、その映像コンテンツを前記壁面４ａに表示したものである。これによって、在宅者は部屋１１にいながら、この部屋１１とは別の場所にある本棚の蔵書を確認することができる。すなわち、部屋１１にいる限りでは見ることのできない収納物を可視化することで、記憶の呼び起こしや記憶の活性化を図ることができる。
なお、ここでは本棚の蔵書を前記第一撮像部３によって撮影するものとしたが、これに限られるものではなく、上述のように収納室の内部を撮影したり、冷蔵庫の中味を撮影したりすることを始め、様々なものを撮影し、映像コンテンツとして生成できる。
また、入力手段５によって適切な指示情報を入力することで、例えば撮影しているものを拡大して表示したり、縮小して表示したりすることを始め、映像コンテンツの表示内容を様々に変化させることができる。
【００３７】
図５に示す例は、学校の教室に設置された第一撮像部３によって授業を撮影して映像コンテンツを生成し、その映像コンテンツを前記壁面４ａに表示したものである。これによって、在宅者は部屋１１にいながら学校の授業を受けることができる。すなわち、部屋１１にいる限りでは受けることのできない授業を受けることができるため、知的刺激に満ちた生活を送れたり、知的好奇心を満たしたりすることができる。
また、入力手段５によって適切な指示情報を入力することで、例えば授業中に発言することが可能となったり、板書をノートに書き写すために黒板を拡大して表示したりすることを始め、映像コンテンツの表示内容を様々に変化させることができる。
また、学校側には、他の出力手段６が設けられており、教師が在宅者の様子を見たり、声を聞いたりすることができる。
さらに、このようなリアルタイムで撮影・表示された映像コンテンツは、新たな映像コンテンツとして前記サーバー２に対して保存しておき、復習のために繰り返し見られるようにしてもよい。
【００３８】
図６に示す例は、近所の複数の知人の住宅内に設置された第一撮像部３によって知人を撮影して映像コンテンツを生成し、その映像コンテンツを前記壁面４ａに表示したものである。なお、本例では、近所の知人宅には前記第一撮像部３と共に他の出力手段６が設けられており、第二撮像部５ａによって撮影された在宅者の姿を見たり、音声入力部５ｄによって入力される声を聞いたりすることができる。
これによって、在宅者は部屋１１にいながら近所の複数の知人と会話できる。すなわち、部屋１１にいる限りでは会うことができない人と会って会話できるため、互いの健康状態の確認や会話によるメンタルケアを図ることができる。
【００３９】
図７に示す例は、サーバー２に保存された、トレッキングをヴァーチャル体験できる映像コンテンツを前記壁面４ａに表示したものである。この映像コンテンツでは、入力手段５として距離センサー５ｂが採用されており、在宅者が部屋１１内で歩く動作をすることで表示内容が変化するように構成されている。すなわち、歩く動作に合わせて山を登ったり下りたりする画面となる。さらに、音声出力部４ｃによって森林の中の音や川のせせらぎ等が出力されるようにすれば臨場感を高めることができるので好ましい。
これによって、在宅者は部屋１１にいながら、トレッキングを楽しみつつ運動をすることができ、体力向上や健康維持を図ることができる。
なお、例えば前記制御手段１を、前回の運動に係る映像コンテンツの出力から一定期間が過ぎた時にアラート（その他、音声案内等も含む）を発することができるように設定し、一定期間経過後にアラートを発して在宅者に運動を促すようにしてもよい。
【００４０】
図８に示す例は、サーバー２に保存された生物図鑑の映像コンテンツを前記壁面４ａに表示したものである。この映像コンテンツでは、入力手段５として距離センサー５ｂが採用されており、在宅者が壁面４ａに近づけば、その近づいた分だけ、壁面４ａに映る動物が実寸大の大きさに徐々に拡大されて表示され、在宅者が壁面４ａから遠ざかれば、その遠ざかった分だけ、壁面４ａに映る動物が徐々に縮小されて表示される設定となっている。さらに、音声出力部４ｃによって壁面４ａに映る動物の鳴き声が出力されるようにすれば、動物の姿と鳴き声とを関連付けて覚えることができるので好ましい。
これによって、在宅者は部屋１１にいながら、動物の種類や姿、鳴き声等を覚えることができ、知的好奇心を満たしたり、脳を活性化させたりすることができる。
【００４１】
なお、図３に示す第一収納室１２およびテーブル１２ａ等の構成を利用して映像コンテンツを提供できるようにしてもよい。
すなわち、このような映像コンテンツは、複数のテーブル１２ａのいずれかを学習用のテーブル１２ａとし、当該テーブル１２ａを部屋１１側に引き出すことによって、学習用の映像が再生されるというものである。また、テーブル１２ａを収納すれば、映像が停止される。つまり、テーブル１２ａと、ＩＣタグ１２ｃと、センサー付きスキャン装置１２ｄとが連動して入力手段５として機能する。
学習用の映像コンテンツの内容としては、例えば図５に示すような学校の授業や講義、英会話学習、習い事の講習等を始め様々なものが挙げられる。また、学習用だけに限られず、図６に示すような映像コンテンツの起動・停止を行えるようにしてもよい。
【００４２】
また、上述のように映像コンテンツとしては、様々な種類のものを用意することができる。例えば第二撮像部５ａをカメラ（カメラ機能のあるビデオカメラ）とし、撮影された静止画像と、映像コンテンツの一時停止画像とを比較するなどしてもよい。すなわち、例えば映像コンテンツとして映写されるプロゴルファーのスウィングと自身のスウィングの静止画像とを比較してチェックすることなどができる。
すなわち、本実施の形態の映像コンテンツ提供システムによれば、静止画像と映像とを組み合わせた、上記のものとは異なる種類の映像コンテンツを映写することも可能となっている。
【００４３】
本実施の形態によれば、前記サーバー２に前記各種の映像コンテンツを予め保存しておくことができる。また、前記第一撮像部３によって所定の場所の映像を撮影し、生成された前記映像コンテンツを、前記サーバー２に保存しておいたり、リアルタイムで前記壁面４ａに表示したりすることができる。これによって、多様な映像コンテンツを在宅者に対して提供することができる。
そして、前記制御手段１が、前記サーバー２に保存された前記映像コンテンツと前記第一撮像部３によって生成された前記映像コンテンツのうち、前記入力手段５によって入力された在宅者からの指示情報に基づく映像コンテンツを、前記映写部４ｂによって前記壁面４ａに映写するので、前記サーバー２に保存された前記映像コンテンツを前記壁面４ａに映写すれば、在宅者は、保存された映像コンテンツを楽しんだり、生活サポートを受けたりすることができる。また、前記第一撮像部３によって生成された前記映像コンテンツを前記壁面４ａに映写すれば、在宅者は、リアルタイムの映像コンテンツを楽しんだり、生活サポートを受けたりすることができる。
しかも、前記壁面４ａをスクリーンとして利用できるので、前記映像コンテンツを手軽に映写したり、大画面で映写したりすることができる。
これによって、多様な映像コンテンツを提供することを可能とし、在宅者の生活のサポートを行ったり、生活の満足度を向上させたりすることができる。
【００４４】
また、前記映像コンテンツは音声情報を含んでおり、前記出力手段４は前記音声情報を出力する音声出力部４ｃを有するので、映像とともに音声を楽しんだり、音声によるサポートを受けたりすることができる。
【００４５】
また、前記制御手段１は、前記第二撮像部５ａによって撮影された映像を、前記出力手段４と、ネットワークを介して当該制御手段１と接続される前記他の出力手段６とに出力するので、前記第二撮像部５ａによって撮影された在宅者の行動を、前記出力手段４によって出力される映像や、前記他の出力手段６によって出力される映像によって確認することができる。これによって、在宅者の生活サポートの一環として、例えば在宅者と他者との交流を図ることができる。
【００４６】
また、前記制御手段１は、前記入力手段５による指示情報に基づいて、前記壁面４ａに表示される前記映像コンテンツの表示内容を変化させるので、例えばジェスチャーによって表示内容を変化させたり、接触（タッチ）することで表示内容を変化させたり、声で表示内容を変化させたり等、様々な態様で表示内容を変化させることができる。すなわち、在宅者の行動・操作に基づいて表示内容を変化させることができるので、利便性に優れる。
【００４７】
［第２の実施の形態］
次に、図面を参照して本発明の第２の実施の形態について説明する。なお、説明の便宜上、上述した第１の実施の形態とは異なる構成部分のみについて説明する。
【００４８】
本実施の形態においては、前記壁面４ａに開口部１６（図２中の二点鎖線部分）が形成されている。また、この開口部１６には、透過率を透明から不透明に変更可能なガラス４ｄを採用した建具１７が設けられている。
前記ガラス４ｄは、２枚のガラス間にある液晶シートが電気のオン・オフに反応し、スイッチひとつで透明ガラスから不透明ガラスに切り替わる、いわゆる瞬間調光ガラスである。通常、このようなガラス４ｄは、西日や直射日光の拡散（日よけ）や、室内の間仕切り・目隠し等として使用できる。
【００４９】
そして、前記制御手段１は、映像コンテンツを、前記映写部４ｂによって、不透明に変更された前記ガラス４ｄに映写する。すなわち、このガラス４ｄを、前記壁面４ａの代わりにスクリーンとして使用することができる。なお、映像コンテンツを映写する場合は、ガラス４ｄを不透明の状態に切り替えておく。
映写される映像コンテンツは、前記サーバー２に保存された前記映像コンテンツと、前記第一撮像部３によって生成された前記映像コンテンツのどちらも採用できる。
本実施の形態における映像コンテンツとしては、図示はしないが、例えばガラス４ｄに様々な場所の景色を映写して、旅行気分を味わうことができる映像コンテンツ等が挙げられる。すなわち、窓の外の景色を実際とは別のものに代えて楽しむことができる。
なお、この景色を映写する映像コンテンツはサーバー２に保存されたものである。
【００５０】
以上のような本実施の形態によれば、前記制御手段１は、前記映像コンテンツを、前記映写部４ｂによって、不透明に変更された前記ガラスに映写するので、前記壁面４ａに映写する映像コンテンツとは異なる種類の映像コンテンツを映写することができる。これによって、より多様な映像コンテンツを在宅者に対して提供することができる。
【００５１】
［第３の実施の形態］
次に、図面を参照して本発明の第３の実施の形態について説明する。なお、説明の便宜上、上述した第１および第２の実施の形態とは異なる構成部分のみについて説明する。
【００５２】
本実施の形態においては、図９に示すように、映写部４ｂが屋外に設置されている。
なお、この映写部４ｂによって映写される映像コンテンツは、前記開口部１６に設けられた建具１７のガラス４ｄに表示されるものとする。
【００５３】
前記映写部４ｂを屋外に設置する際には、建物１０の屋根１０ａに取り付けられる。
より詳細に説明すると、屋根１０ａは軒の出が大きい屋根とされている。また、軒下にはテラス１０ｂが設けられており、このテラス１０ｂと軒天井との間の空間は、雨に濡れにくい屋外スペースとされている。また、この屋外スペースは、前記建具１７のガラス４ｄに面して設けられている。前記映写部４ｂは、当該屋外スペース内において軒天井に取付固定されることによって屋外に設置されている。
【００５４】
そして、前記制御手段１は、映像コンテンツを、前記映写部４ｂによって前記ガラス４ｄに向けて映写する。なお、映像コンテンツを映写する場合は、屋内側から映像を見ることができるように、ガラス４ｄを透明の状態にしておく。換言すれば、このように屋外に設置された映写部４ｂによって映像コンテンツを映写する場合は、上述のような瞬間調光ガラスではなく、通常の透明のガラスであってもよい。
【００５５】
さらに、本実施の形態においては前記入力手段５として、前記ガラス４ｄに設けられ、在宅者が屋内から当該ガラス４ｄに触れることで検知状態となる前記タッチセンサー５ｃが採用されている。
なお、タッチセンサー５ｃは、前記ガラス４ｄやその周囲に適宜配線が設けられるなどしてセンシング可能となっている。
【００５６】
映写される映像コンテンツは、前記サーバー２に保存された前記映像コンテンツと、前記第一撮像部３によって生成された前記映像コンテンツのどちらも採用できる。
図１０に示す映像コンテンツの例は、サーバー２に保存された施錠・窓開閉機能付きの映像コンテンツを前記ガラス４ｄに表示したものである。より詳細には、この映像コンテンツは、施錠・解錠を行う操作部をイメージした映像と、建具１７の開閉を行う操作部をイメージした映像とからなり、ガラス４ｄの所定の位置（例えば建具１７の手掛かり部分付近）に表示される。
また、施錠・解錠および建具１７の開閉機構は、タッチセンサー５ｃと、建具１７に備えられた図示しない施錠・解錠用および建具１７の開閉用の駆動部とを連動させて、建具１７の施錠および建具１７の開閉を行うことができるように構成されている。なお、駆動部の制御は、タッチセンサー５ｃからの検知信号を受ける前記制御手段１によって行われるものとする。すなわち、タッチセンサー５ｃと建具１７の駆動部とが制御手段１を介して接続されている。
そして、この映像コンテンツでは、施錠・解錠を行う操作部をイメージした映像にタッチすることで、建具１７の施錠・解錠ができるとともに、建具１７の開閉を行う操作部をイメージした映像にタッチすることで、建具１７の開閉ができる。
これによって、在宅者は部屋１１側から、建具１７の施錠・解錠および開閉ができるので、利便性に優れる。
【００５７】
以上のような本実施の形態によれば、前記制御手段１は、前記映像コンテンツを、屋外に設置された前記映写部４ｂによって前記ガラス４ｄに向けて映写しており、前記入力手段５は、前記タッチセンサー５ｃを有するので、例えば前記映写部４ｂが屋内に設置される場合とは異なり、前記ガラス４ｄに映写される映像に在宅者の影が映りこむことを防ぎつつ、在宅者は、屋内側から前記ガラス４ｄに触れて入力作業を行うことができる。
【符号の説明】
【００５８】
１  制御手段
２  サーバー
３  第一撮像部
４  出力手段
４ａ  面
４ｂ  映写部
５  入力手段
５ａ  第二撮像部
５ｂ  距離センサー
５ｄ  音声入力部
１０  建物
１１  部屋
【図１】
2014220582.tif 000003
【図２】
2014220582.tif 000004
【図３】
2014220582.tif 000005
【図４】
2014220582.tif 000006
【図５】
2014220582.tif 000007
【図６】
2014220582.tif 000008
【図７】
2014220582.tif 000009
【図８】
2014220582.tif 000010
【図９】
2014220582.tif 000011
【図１０】
2014220582.tif 000012